(57)【要約】【課題】本発明は、極めて商品価値の高い画期的な線引き具を提供することを目的とする。【解決手段】適宜な粉体１を収納し得るケース体２に自動巻き取り用のゼンマイバネ３を密閉状態で内装した糸巻きドラム４を回転自在に収納し、この糸巻きドラム４に巻回され、先端にカルコやフック等の止め具６が付設された糸５をゼンマイバネ３による巻き取り付勢に抗して外部に引き出し自在に設けた自動巻取り式の線引き具であって、前記糸巻きドラム４をケース体２の粉体収納部２ｂに取り出し自在に設けたものである。【選択図】　　　　図２
2004001142.tif 000002
【特許請求の範囲】
【請求項１】
適宜な粉体を収納し得るケース体に自動巻き取り用のゼンマイバネを密閉状態で内装した糸巻きドラムを回転自在に収納し、この糸巻きドラムに巻回され、先端にカルコやフック等の止め具が付設された糸をゼンマイバネによる巻き取り付勢に抗して外部に引き出し自在に設けた自動巻取り式の線引き具であって、前記糸巻きドラムをケース体の粉体収納部に取り出し自在に設けたことを特徴とする線引き具。
【請求項２】
適宜な粉体を収納し得るケース体に自動巻き取り用のゼンマイバネを密閉状態で内装した糸巻きドラムを回転自在に収納し、この糸巻きドラムに巻回され、先端にカルコやフック等の止め具が付設された糸をゼンマイバネによる巻き取り付勢に抗して外部に引き出し自在に設けた自動巻取り式の線引き具であって、前記糸巻きドラムに内装されるゼンマイバネを巻き締め操作する巻き締め操作体がケース体に設けられ、この巻き締め操作体は糸巻きドラムをケース体に配設した場合に該糸巻きドラムに連設されるように構成され、糸巻きドラムはケース体から取り出し自在に構成されていることを特徴とする線引き具。
【請求項３】
請求項２記載の線引き具において、前記ゼンマイバネの内側端部が連設される糸巻きドラムの軸部と、前記巻き締め操作体の回転軸とは回り止め状態にして凹凸嵌合連結されるように構成されていることを特徴とする線引き具。
【請求項４】
請求項３記載の線引き具において、前記糸巻きドラムの軸部が凹、前記巻き締め操作体の回転軸が凸であり、両者は断面多角形状であることを特徴とする線引き具。
【請求項５】
適宜な粉体を収納し得るケース体に自動巻き取り用のゼンマイバネを内装した糸巻きドラムを回転自在に収納し、この糸巻きドラムに巻回され、先端にカルコやフック等の止め具が付設された糸をゼンマイバネによる巻き取り付勢に抗して外部に引き出し自在に設けた自動巻取り式の線引き具であって、前記ケース体の所定位置には引き出した糸に粉体を定着させる粉体定着部材が配設されており、この粉体定着部材には、前記糸を挟み込み、この糸に対する挟み込み力を適宜可変し得る対向する挟み面が形成されており、この挟み面同士間に該糸を接触状態で通過させることで該糸に粉体が定着するように構成されていることを特徴とする線引き具。
【請求項６】
請求項５記載の線引き具において、前記粉体定着部材は互いに対向状態で配設される分割体で構成され、この分割体同士の対向内面を前記挟み面としたことを特徴とする線引き具。
【請求項７】
請求項５記載の線引き具において、前記粉体定着部材にはスリットが形成され、このスリットの対向内面を前記挟み面としたことを特徴とする線引き具。
【発明の詳細な説明】
【０００１】
【発明の属する技術分野】
本発明は、建築板金業者や内装業者などが家屋などの建築、改装の際に使用するもので、粉体を付着させた糸を張設し、これをはじくことによって所定箇所に線引きを施す為の線引き具に関するものである。
【０００２】
【従来の技術及び発明が解決しようとする課題】
建築板金業者や内装業者などが家屋などの建築、改装の際に、施工箇所に線引きを施す場合、従来から墨壷と称される墨線を引くタイプの線引き具や、粉体を糸に付着させて粉線を引くタイプの線引き具が提案されている。
【０００３】
ところで、この粉線を引くタイプの線引き具にも、前述した墨線を引くタイプの線引き具と同様、引き出した糸を自動的に巻き取る自動巻き取り構造のものがある。
【０００４】
具体的には、粉体を収納し得るケース体に糸巻きドラムを回転自在に収納し、この糸巻きドラムの外周に巻回され、先端にカルコやフック等の止め具が付設された糸をゼンマイバネの巻き取り戻り付勢に抗して外部に引き出し自在に設けた構造のものである。
【０００５】
しかし、これまで提案されている自動巻取り式の粉線を引くタイプの線引き具は、糸巻きドラムと本体との連結構造が複雑な為、糸巻きドラムの取り外しが厄介であるという問題点があった。
【０００６】
本発明者は、前述した問題点を解決したもので、極めて商品価値の高い画期的な自動巻取り式の粉線を引くタイプの線引き具を提供するものである。
【０００７】
【課題を解決するための手段】
添付図面を参照して本発明の要旨を説明する。
【０００８】
適宜な粉体１を収納し得るケース体２に自動巻き取り用のゼンマイバネ３を密閉状態で内装した糸巻きドラム４を回転自在に収納し、この糸巻きドラム４に巻回され、先端にカルコやフック等の止め具６が付設された糸５をゼンマイバネ３による巻き取り付勢に抗して外部に引き出し自在に設けた自動巻取り式の線引き具であって、前記糸巻きドラム４をケース体２の粉体収納部２ｂに取り出し自在に設けたことを特徴とする線引き具に係るものである。
【０００９】
また、適宜な粉体１を収納し得るケース体２に自動巻き取り用のゼンマイバネ３を密閉状態で内装した糸巻きドラム４を回転自在に収納し、この糸巻きドラム４に巻回され、先端にカルコやフック等の止め具６が付設された糸５をゼンマイバネ３による巻き取り付勢に抗して外部に引き出し自在に設けた自動巻取り式の線引き具であって、前記糸巻きドラム４に内装されるゼンマイバネ３を巻き締め操作する巻き締め操作体９がケース体２に設けられ、この巻き締め操作体９は糸巻きドラム４をケース体２に配設した場合に該糸巻きドラム４に連設されるように構成され、糸巻きドラム４はケース体２から取り出し自在に構成されていることを特徴とする線引き具に係るものである。
【００１０】
また、請求項２記載の線引き具において、前記ゼンマイバネ３の内側端部３ｂが連設される糸巻きドラム４の軸部１５と、前記巻き締め操作体９の回転軸８とは回り止め状態にして凹凸嵌合連結されるように構成されていることを特徴とする線引き具に係るものである。
【００１１】
また、請求項３記載の線引き具において、前記糸巻きドラム４の軸部１５が凹、前記巻き締め操作体９の回転軸８が凸であり、両者は断面多角形状であることを特徴とする線引き具に係るものである。
【００１２】
また、適宜な粉体１を収納し得るケース体２に自動巻き取り用のゼンマイバネ３を内装した糸巻きドラム４を回転自在に収納し、この糸巻きドラム４に巻回され、先端にカルコやフック等の止め具６が付設された糸５をゼンマイバネ３による巻き取り付勢に抗して外部に引き出し自在に設けた自動巻取り式の線引き具であって、前記ケース体２の所定位置には引き出した糸５に粉体１を定着させる粉体定着部材２３が配設されており、この粉体定着部材２３には、前記糸５を挟み込み、この糸５に対する挟み込み力を適宜可変し得る対向する挟み面２３ａ，２３ｂが形成されており、この挟み面２３ａ，２３ｂ同士間に該糸５を接触状態で通過させることで該糸５に粉体１が定着するように構成されていることを特徴とする線引き具に係るものである。
【００１３】
また、請求項５記載の線引き具において、前記粉体定着部材２３は互いに対向状態で配設される分割体２３Ａ，２３Ｂで構成され、この分割体２３Ａ，２３Ｂ同士の対向内面を前記挟み面２３ａ，２３ｂとしたことを特徴とする線引き具に係るものである。
【００１４】
また、請求項５記載の線引き具において、前記粉体定着部材２３にはスリット２８が形成され、このスリット２８の対向内面を前記挟み面２３ａ，２３ｂとしたことを特徴とする線引き具に係るものである。
【００１５】
【発明の作用及び効果】
本発明は、糸５を引き出すと糸巻きドラム４が回転し、糸巻きドラム４に内装されたゼンマイバネ３は逐次巻き締めされ、この状態で糸５を所定の長さ引き出して張設し、この糸５を指で摘むなどして引っ張り、この引っ張った糸５を離して打ちつけて糸５に付着した粉体１による粉線を引くことができる。
【００１６】
ところで、本発明は、ゼンマイバネ３を密閉状態で内装した糸巻きドラム４をケース体２の粉体収納部２ｂに取り出し自在に収納せしめている。
【００１７】
よって、粉体１の侵入によるゼンマイバネ３の機能低下が生じることは無く、しかも、糸巻きドラム４をケース体２の粉体収納部２ｂに収納する構造としたから、コンパクトで、量産性に秀れ且つコスト安に製造することができ、そして更に、仮にケース体２に糸巻きドラム４を収納する部位と粉体１を収納する部位とを分けて設けた場合、この粉体１が収納される部位に引き出した糸５を通過させただけでは糸５に粉体１が良く付着しないという問題が生じるが（墨のように直ちに付着するものではない）、この点、本発明は、糸巻きドラム４が粉体１を収納する部位に収納される構造の為、糸５が収納時に絶えず粉体１に晒された状態となり粉体１が良好に付着することになる。
【００１８】
また、請求項２記載の発明においては、糸巻きドラム４に内装されるゼンマイバネ３を巻き締め操作する巻き締め操作体９がケース体２に設けられ、この巻き締め操作体９は糸巻きドラム４をケース体２に配設した場合に該糸巻きドラム４に連設されるように構成され、糸巻きドラム４はケース体２から取り出し自在に構成されているから、例えば糸切れや糸濡れによる糸巻きドラム４を取り外して行われる糸替え作業が簡易且つ迅速に行えることになる。
【００１９】
また、請求項５記載の発明においては、ケース体２の所定位置には引き出した糸５に粉体１を定着させる粉体定着部材２３が配設されており、この粉体定着部材２３には、糸５を挟み込み、この糸５に対する挟み込み力を適宜可変し得る対向する挟み面２３ａ，２３ｂが形成されており、この挟み面２３ａ，２３ｂ同士間に該糸５を接触状態で通過させることで該糸５に粉体１が定着するように構成されているから、この粉体定着部材２３による糸５に対する接触抵抗の調整が非常に行い易く、即ち、糸５に粉体１を良好に定着させることができ、且つ、良好な糸５の自動巻取りが行われる状態となるように粉体定着部材２３の設定が簡易に行えることになる。
【００２０】
【発明の実施の態様】
図面は本発明の一実施例を図示したものであり、以下に説明する。
【００２１】
符号１は粉末チョークから成る粉体である。
【００２２】
本実施例は、粉体１を収納し得るケース体２に自動巻き取り用のゼンマイバネ３を密閉状態で内装した糸巻きドラム４を回転自在に収納し、この糸巻きドラム４の外周に巻回され、先端にカルコやフック等の止め具６が付設された糸５をゼンマイバネ３の巻取り付勢力に抗して外部に引き出し自在に設けたものである。
【００２３】
以下、本実施例に係る構成各部について詳細な説明をする。
【００２４】
ケース体２は、適宜な合成樹脂製の部材で形成したものであり、内部には所定量の粉体１を収納し得る粉体収納部２ｂが設けられている。
【００２５】
また、ケース体２は、その下端部に円錐状の凹部が形成されており、この凹部はゼンマイバネ３の巻取り付勢力により巻取られる止め具６を嵌合状態に収納し得る止め具収納部２２として構成されている。
【００２６】
また、この止め具収納部２２にはケース体２内に貫通する貫通孔からなる糸引き出し部２６が設けられており、この糸引き出し部２６の近傍位置には粉体定着部材２３が配設されている。
【００２７】
この粉体定着部材２３は、図４に図示したようにフエルトからなる一対の分割体２３Ａ，Ｂで構成され、ケース体２内の糸引き出し部２６の近傍位置に形成されたボックス状の配設部２５内に配設されている。
【００２８】
この分割体２３Ａ，２３Ｂ同士の対向内面は、引き出した糸５に挟み込み状態で接触する挟み面２３ａ，２３ｂとして構成されており、糸５に対する挟み込み力を適宜可変し得るように構成されている。
【００２９】
この粉体定着部材２３を配設する配設部２５には、糸５を通過させる糸通過部２５ａが設けられており、この糸通過部２５ａには糸５を粉体定着部材２３に係る分割体２３Ａ，Ｂ間及び糸引き出し部２６へ誘導するガイド棒２７が設けられている。
【００３０】
従って、引き出された糸５は粉体定着部材２３に係る分割体２３Ａ，２３Ｂの対向内面となる挟み面２３ａ，２３ｂ間を接触状態で通過して当該糸５に付着した粉体１が擦りこまれて定着することになる。
【００３１】
また、図５のように粉体定着部材２３にスリット２８を形成し、このスリット２８の対向内面を前記挟み面２３ａ，２３ｂとしても良い。
【００３２】
また、ケース体２は、その表面側に開口部が形成されており、この表面開口部から粉体収納部２ｂへ後述する糸巻きドラム４を収納し得るように構成されている。
【００３３】
また、この表面開口部には該表面開口部を閉塞する閉塞体１３が着脱自在に設けられており、この閉塞体１３の内側部には糸巻きドラム４が配設され、糸巻きドラム４は閉塞体１３の外側部に配設した回転自在の摘み部材１４により回転操作できるように構成されている。
【００３４】
従って、ケース体２から閉塞体１３を取り外すだけでケース体２内から糸巻きドラム４を取り出すことができる。
【００３５】
この糸巻きドラム４は、適宜な合成樹脂製の部材で形成したものであり、その外周面に先端に止め具６が付設された糸５が巻回されている。尚、本実施例では、止め具６として摘み部６ａの先端に針部６ｂを突設したカルコを採用しているが、例えば摘み部６ａの先端にフックを設けたタイプとするなど、本実施例の特性を発揮する構成であれば適宜採用するものである。
【００３６】
また、糸巻きドラム４は、その内部にゼンマイバネ３が内装されており、ゼンマイバネ３の一端部にして外側端部３ａは糸巻きドラム４の内周面所定位置に連結され、一方、他端部にして内側端部３ｂは糸巻きドラム４の一側面に露出（突出）する軸部１５に連結されている。
【００３７】
この軸部１５は、糸巻きドラム４の中央部分に密接状態にして架設状態に軸支されており、糸巻きドラム４の一側面に露出する部分には後述する巻き締め操作体９の回転軸８が凹凸嵌合連結する断面六角形状にして凹状の嵌合部１５ａが設けられている。従って、巻き締め操作体９を回転操作することで軸部１５は回転し、糸巻きドラム４内に密閉状態に収納されたゼンマイバネ３を巻き締めし得ることになる。符号１６は糸巻きドラム４にゼンマイバネ３を収納した後、密閉状態に閉塞する閉塞部材である。
【００３８】
また、ケース体２は、その裏面側に正面視円形状の凹部２ａが陥没状に形成されており、この凹部２ａの反対面は、粉体収納部２ｂ内において突出しており、この突出部位は糸巻きドラム４が被嵌されてガイドとなる。また、凹部２ａには巻き締め操作体９が回転自在に配設されている。
【００３９】
また、この凹部２ａの底面は、糸巻きドラム４と巻き締め回転操作体９との間を仕切る仕切り体１１となる。
【００４０】
巻き締め操作体９は、前述した糸巻きドラム４の軸部１５に連設される第一部材１７と、この第一部材１７に被嵌するリング状の第二部材１８とで構成されている。
【００４１】
第一部材１７は、適宜な合成樹脂製の部材で形成したものであり、その表面に摘み操作部１７ａが形成され、その裏面中央部に断面六角形状の回転軸８が付設されている。
【００４２】
この回転軸８は、ケース体２に係る凹部２ａの仕切り体１１の中央位置に形成された嵌挿孔部１１ａに嵌挿され、前述した糸巻きドラム４に配設されるゼンマイバネ３の内側端部３ｂが連結される軸部１５に形成された嵌合部１５ａに回り止め状態に凹凸嵌合するように構成されている。
【００４３】
従って、第一部材１７は、摘み操作部１７ａを一方向に回転操作することによりゼンマイバネ３を巻き締めすることができ、そして、糸５を引き出して糸巻きドラム４を回転させた際にはゼンマイバネ３により他方向に回転付勢される。但し、この第一部材１７における反対方向への回転付勢は、第二部材１８に係止されることで阻止されており、後述する巻取り付勢力開放機構７に係る係止体１０の係止を解除して第二部材１８を回転可能状態とした際に、この回転付勢により第一部材１７及び第二部材１８は共に回転することになる。
【００４４】
また、第一部材１７は、その裏面にして回転軸８の周囲にパッキン１２としてのＯリングを配設する凹溝１７ｂが撓設されており、このＯリング１２は、回転軸８を糸巻きドラム４の軸部１５の嵌合部１５ａに嵌合連結した際、仕切り体１１に密接することになる。
【００４５】
従って、このＯリング１２によってケース体２内に収納される粉体１が外部に漏れるのが確実に阻止されることになる。
【００４６】
また、第一部材１７は、その周縁に所定間隔をおいて４つの鉤状部１７ｃが形成されている。
【００４７】
この鉤状部１７ｃは、第二部材１８の被嵌孔１８ａ内に形成される弾性係止片１８ｂに係止し得るように構成され、第一部材１７を第二部材１８に対して一方向に回転させたときのみ鉤状部１７ｃは弾性係止片１８ｂに係止し、よって、第一部材１７は一方向にのみ第二部材１８に対して回転し得ることになり、この第一部材１７の回転が許容される回転方向は、ゼンマイバネ３を巻き締めする際の回転方向となるように設定されている。
【００４８】
第二部材１８は、適宜な合成樹脂製の部材で形成したものであり、その内側には前述した第一部材１７に被嵌し得る被嵌孔１８ａが形成され、この被嵌孔１８ａには弾性係止片１８ｂが切欠形成されており、この弾性係止片１８ｂは樹脂製故に適度な弾性を有している。
【００４９】
また、第二部材１８は、その裏面に後述する係止体１０に係止する係止部１８ｃが突出形成されており、通常、巻取り付勢力開放機構７に係る係止体１０の係合状態を解除しないと回転不能状態に保持されている。
【００５０】
従って、第二部材１８に対する係止体１０の係合が解除されない限り、ゼンマイバネ３の付勢力によって第一部材１７及び第二部材１８から成る巻き締め操作体９が回転することはできず、この巻き締め操作体９に対する係合体１０の係合を解除することにより、糸５を引き出した際にゼンマイバネ３に蓄積される巻取り付勢力を開放し得ることになる。
【００５１】
前記構成の第一部材１７及び第二部材１８から成る巻き締め操作体９は、ケース体２の凹部２ａに収納された後、後方から押さえ部材１９が配設され、この押さえ部材１９に設けられた突片１９ａの弾性により巻き締め操作体９は仕切り体１０に押し付けられている。
【００５２】
従って、この押さえ部材１９により、回転軸８と軸部１５の嵌合部１５ａとの嵌合連結が堅固となると共に、仕切り体１０に対するＯリング１２の押し付け力が向上し、より一層粉体の侵入を阻止する効果が向上することになる。
【００５３】
係止体１０は、適宜な合成樹脂製の部材で形成したものであり、ケース体２の凹部２ａを閉塞する閉塞蓋体２０に押込み傾動自在に設けられており、その裏面には押さえ部材１９の窓孔１９ｂを貫通して第二部材１８の係止部１８ｃに係止する係止爪１０ａが突出形成されており、発条２１によって常に係止爪１０ａが係止部１８ｃに係止する方向に付勢されている。従って、この係止体１０の係止爪１０ａが設けられた側と反対側を押込み操作することにより巻き締め操作体９に係る係止部１８ｃに対する係止爪１０ａの係止が解除されることになる。
【００５４】
また、係止体１０は、その裏面にして係止爪１０ａの対向位置に突起１０ｂが突出形成されており、この突起１０ｂは、係止爪１０ａとの係合が解除されて付勢回転する巻き締め操作体９に係る係止部１８ｃが係止するように構成されており、これは、ゼンマイバネ３の巻取り付勢力が一気に解除されてしまうのを防止するための構成であり、従って、係止体１０の押込み操作を繰り返し行うことで巻き締め操作体９は約一回転、付勢回転しては停止することなり、段階的に巻取り付勢力が解除されることになる。
【００５５】
以上の構成から、糸５を引き出した際、ゼンマイバネ３は巻き締め操作体９が係止体１０との係合により回転不能状態のため巻き締めされ、この巻き締めは糸５の巻き取り付勢力となり、また、ゼンマイバネ３が巻き締めされた状態で巻取り付勢力開放機構７に係る係止体１０の係合を解除すると、巻き締め操作体９が回転することによりゼンマイバネ３の巻き締めが開放され、よって、このゼンマイバネ３に蓄積された糸５を巻き取ろうとする巻取り付勢力が開放されたことになる。
【００５６】
符号２４は粉体供給部である。
【００５７】
本実施例は上述のように構成したから、糸５を引き出すと糸巻きドラム４が回転し、糸巻きドラム４に内装されたゼンマイバネ３は逐次巻き締めされ、この状態で糸５を所定の長さ引き出すと、ゼンマイバネ３は略巻き締め限界まで巻き締めされる。この際、糸巻きドラム４に内装されたゼンマイバネ３の巻取り付勢に抗して糸５を引き出すと、糸５は粉体定着部材２３に接触状態で通過し、表面に付着した粉体１が擦りこまれるようにして定着する。
【００５８】
この引き出し長さより更に所望の長さ糸５を引き出したいときには、巻取り付勢力開放機構７に係る係合体１０を押し操作することにより、ゼンマイバネ３に蓄積される巻取り付勢力が開放され、糸５を更に引き出すことができることになる。
【００５９】
その後、止め具６で止めて張設した糸５を指で摘んで引っ張り、この引っ張った糸５を離して打ちつけて糸５に付着した粉体１による粉線を引くことができる。
【００６０】
よって、本実施例によれば、ゼンマイバネ３を密閉状態で内装した糸巻きドラム４をケース体２の粉体収納部２ｂに取り出し自在に設けたから、粉体１の侵入によるゼンマイバネ３の機能低下が生じることは無く、しかも、糸巻きドラム４をケース体２の粉体収納部２ｂに収納する構造としたから、コンパクトで、量産性に秀れ且つコスト安に製造することができ、そして更に、仮にケース体２に糸巻きドラム４を収納する部位と粉体１を収納する部位とを分けて設けた場合、この粉体１が収納される部位に引き出した糸５を通過させただけでは糸５に粉体１が良く付着しないという問題が生じるが（墨のように直ちに付着するものではない）、この点、本実施例は、糸巻きドラム４が粉体１を収納する部位に収納される構造の為、糸５が収納時に絶えず粉体１に晒された状態となり粉体１が良好に付着することになる。
【００６１】
また、本実施例は、糸巻きドラム４に内装されるゼンマイバネ３を巻き締め操作する巻き締め操作体９がケース体２に設けられ、この巻き締め操作体９は糸巻きドラム４をケース体２に配設した場合に該糸巻きドラム４に連設されるように構成され、糸巻きドラム４はケース体２から取り出し自在に構成されているから、例えば糸切れや糸濡れによる糸巻きドラム４を取り外して行われる糸替え作業が簡易且つ迅速に行えることになる。
【００６２】
また、本実施例は、ゼンマイバネ３は糸巻きドラム４に密閉状態となるように内装されており、しかも、ゼンマイバネ３を巻き締めするための巻き締め操作体９がＯリング１２を介してケース体２に設けられることで、該ケース体２外に粉体１が漏れるのを阻止するように構成されており、よって、より一層粉体１によるゼンマイバネ３の機能低下やケース体２外への粉体１の漏れなどの心配は確実に解消されることになり、しかも、糸巻きドラム４に連結され、ケース体２を貫通して外部に配される付属構造、即ち、ゼンマイバネ３を巻き締めし得る巻き締め操作体９が粉体１によってその巻き締め機能の低下が生じるようなことは確実に防止されることになる。
【００６３】
また、本実施例は、このＯリング１２による粉体１の漏れ防止機能により、巻取り付勢力開放機構７の機能低下などの心配も確実に解消されることになる。
【００６４】
また、本実施例は、ケース体２の所定位置には引き出した糸５に粉体１を定着させる粉体定着部材２３が配設されており、この粉体定着部材２３には、糸５を挟み込み、この糸５に対する挟み込み力を適宜可変し得る対向する挟み面２３ａ，２３ｂが形成されており、この挟み面２３ａ，２３ｂ同士間に該糸５を接触状態で通過させることで該糸５に粉体１が定着するように構成されているから、この粉体定着部材２３による糸５に対する接触抵抗の調整が非常に行い易く、即ち、糸５に粉体１を良好に定着させることができ、且つ、良好な糸５の自動巻取りが行われる状態となるように粉体定着部材２３の設定が簡易に行えることになる。
【００６５】
また、本実施例は、粉体定着部材２３を配設する配設部２５を前記ケース体２の糸引き出し部２６の近傍位置に設けたから、糸５に粉体１を定着した後、この粉体１が定着した部分が直ちにケース体２の外部へ引き出されることになるから、定着した粉体１がケース体２の何処かに当たって落ちるようなことが可及的に防止され、常に良好な線引き作業が行えることになり、しかも、粉体定着部材２３がケース体２内に収納される粉体１の漏れを防止することができる。
【００６６】
また、本実施例は、糸巻きドラム４に収納されるゼンマイバネ３の内側端部３ｂに連結される軸部１５に回転軸８を介して巻き締め操作体９を着脱自在に連結し、この回転軸８を嵌挿する嵌挿孔部１１ａをケース体２に設け、この嵌挿孔部１１ａの周囲にＯリング１２を配設したから、このＯリング１２により粉体１の漏れ防止が達成されるのは勿論、この回転軸８を嵌挿する嵌挿孔部１１ａをケース体２の凹部２ａに設けた仕切り体１１に設けたから、このゼンマイバネ３と巻き締め操作体９とがこの回転軸８による連結部位以外は仕切り体１１で完全に分離されることになり、つまり、ケース体２に設けられる貫通部分は巻き締め操作体９の回転軸８を貫通するだけの最小限の孔で済むことになり、より一層ケース体２外への粉体１の漏れが防止し得ることになる。
【００６７】
また、本実施例は、糸巻きドラム４と巻き締め操作体９との連結が回転軸８と軸部１５との連結であり、例えば糸巻きドラム４の取り換えの度にゼンマイバネ３の端部を軸に設けたスリットなどに係止するような煩わしい連結ではない為、糸巻きドラム４と巻き締め操作体９との連結、分離が簡易且つ迅速に行えるから、糸巻きドラム４の取り換えが容易に行えることになり、例えば糸切れや糸濡れによる糸巻きドラム４を取り外して行われる糸替え作業が簡易且つ迅速に行えることになる。
【００６８】
また、本実施例は、糸巻きドラム４の軸部１５が凹、前記巻き締め操作体９の回転軸８が凸であり、両者は断面六角形状であるから、この回転軸８と軸部１５との断面六角形状は、巻き締め操作体９と糸巻きドラム４との嵌合連結を良好とすることに貢献し、且つ、両者の連結時における回転方向に対する堅固な連結を達成することに貢献する。即ち、例えば凸と凹とを突合せ状態で嵌合連結する場合、互いに断面円形状であれば非常に簡易に連結することができるが、これでは回り止めが達成されず回転伝達機能が生じない。そこで、堅固な回り止めを達成することを目的として例えば断面三角形状とした場合、ゼンマイバネ３によって付勢されており位置が一定でないこともあって、角を設けると方向性ができてしまい嵌合できない場合がある。そこで、本実施例は、この嵌合連結の点と回転伝達機能の点を考慮して断面六角形状を採用してこれを両立している。
【００６９】
尚、本発明は、本実施例に限られるものではなく、各構成要件の具体的構成は適宜設計し得るものである。
【図面の簡単な説明】
【図１】本実施例を示す斜視図である。
【図２】本実施例に係る要部の説明断面図である。
【図３】本実施例を示す側断面図である。
【図４】本実施例に係る要部の説明図である。
【図５】本実施例に係る要部の説明図である。
【図６】本実施例に係る要部の分解斜視図である。
【図７】本実施例に係る要部の分解斜視図である。
【図８】本実施例に係る要部の分解斜視図である。
【図９】本実施例に係る要部の分解説明図である。
【図１０】本実施例に係る要部の説明図である。
【符号の説明】
１　粉体
２　ケース体
２ｂ　粉体収納部
３　ゼンマイバネ
３ｂ　内側端部
４　糸巻きドラム
５　糸
６　止め具
８　回転軸
９　巻き締め操作体
１５　軸部
２３　粉体定着部材
２３Ａ　分割体
２３Ｂ　分割体
２３ａ　挟み面
２３ｂ　挟み面
２８　スリット
【図１】
2004001142.tif 000003
【図２】
2004001142.tif 000004
【図３】
2004001142.tif 000005
【図４】
2004001142.tif 000006
【図５】
2004001142.tif 000007
【図６】
2004001142.tif 000008
【図７】
2004001142.tif 000009
【図８】
2004001142.tif 000010
【図９】
2004001142.tif 000011
【図１０】
2004001142.tif 000012